【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
集積回路上の第１の増幅器と、
前記集積回路上の第２の増幅器と、
前記第１の増幅器に結合された第１のインダクタと、
前記第２の増幅器に結合された第２のインダクタと、
前記第１のインダクタと前記第２のインダクタと接地とに結合された第１のキャパシタと、を備え、
前記第１のキャパシタが、前記第１の増幅器のための第１の整合ネットワークと前記第２の増幅器のための第２の整合ネットワークとの間で共有され、各整合ネットワークが、各増幅器のために信号源の出力インピーダンスを整合させるインピーダンス整合を与え、各整合ネットワークが、各増幅器のために信号源の出力インピーダンスを整合させるインピーダンス整合を与え、前記第１のインダクタおよび前記第２のインダクタは、シャントインダクタである、受信機。
【請求項２】
前記第１のキャパシタが共有バイパスキャパシタである、請求項１に記載の受信機。
【請求項３】
第１の入力が前記第１の増幅器に結合され、第２の入力が前記第２の増幅器に結合された、請求項１に記載の受信機。
【請求項４】
前記第１の入力が第１のデュプレクサに結合され、前記第２の入力が第２のデュプレクサに結合された、請求項３に記載の受信機。
【請求項５】
前記第１のデュプレクサおよび前記第２のデュプレクサがスイッチを介してアンテナに結合された、請求項４に記載の受信機。
【請求項６】
第１の入力と前記第１の増幅器との間に結合された第３のインダクタと、
第２の入力と前記第２の増幅器との間に結合された第４のインダクタとをさらに備える、請求項１に記載の受信機。
【請求項７】
前記第１の増幅器が低雑音増幅器であり、前記第２の増幅器が低雑音増幅器である、請求項１に記載の受信機。
【請求項８】
前記第１の増幅器が、ハイバンド低雑音増幅器と、ミッドバンド低雑音増幅器と、ローバンド低雑音増幅器とのうちの１つであり、前記第２の増幅器が、ハイバンド低雑音増幅器と、ミッドバンド低雑音増幅器と、ローバンド低雑音増幅器とのうちの１つである、請求項１に記載の受信機。
【請求項９】
前記受信機が基地局の一部であり、前記受信機が、無線周波数信号を受信するために使用される、請求項１に記載の受信機。
【請求項１０】
前記受信機がワイヤレス通信デバイスの一部であり、前記受信機が、無線周波数信号を受信するために使用される、請求項１に記載の受信機。
【請求項１１】
前記第１のインダクタ、前記第２のインダクタおよび前記第１のキャパシタがインピーダンス整合ネットワークを形成する、請求項１に記載の受信機。
【請求項１２】
前記集積回路上の第３の増幅器と、
前記集積回路上の第４の増幅器と、
前記第３の増幅器に結合された第３のインダクタと、
前記第４の増幅器に結合された第４のインダクタと、
前記第３のインダクタと前記第４のインダクタと接地とに結合された第２のキャパシタとをさらに備える、請求項１に記載の受信機。
【請求項１３】
受信機におけるインピーダンス整合のための方法であって、
ソースからの信号を受信することであって、前記信号が前記ソースと負荷との間のインピーダンス整合を必要とする、受信することと、
前記信号をインピーダンス整合ネットワークに与えることであって、前記インピーダンス整合ネットワークが複数の増幅器のための第１のキャパシタを共有し、前記インピーダンス整合ネットワークが、前記複数の増幅器のために信号源の出力インピーダンスを整合させるインピーダンス整合を与える、与えることと、
前記インピーダンス整合ネットワークの出力を前記複数の増幅器のうちの１つに与えることとを備え、
前記受信機は、前記複数の増幅器、複数のインダクタ、および前記第１のキャパシタを備え、前記インダクタの各々は、対応する増幅器に結合され、前記第１のキャパシタは、前記インダクタと接地に結合され、前記インダクタは、シャントインダクタである、受信機におけるインピーダンス整合のための方法。
【請求項１４】
前記複数の増幅器が集積回路上にあり、前記第１のキャパシタが共有バイパスキャパシタである、請求項１３に記載の方法。
【請求項１５】
前記方法が電子デバイスによって実行される、請求項１３に記載の方法。
【請求項１６】
前記電子デバイスは、
集積回路上の第１の増幅器と、
前記集積回路上の第２の増幅器と、
前記第１の増幅器に結合された第１のインダクタと、
前記第２の増幅器に結合された第２のインダクタとを備える前記受信機を備え、前記第１のキャパシタが、前記第１のインダクタと前記第２のインダクタと接地とに結合され、前記第１のキャパシタが、前記第１の増幅器のための第１の整合ネットワークと前記第２の増幅器のための第２の整合ネットワークとの間で共有される、請求項１５に記載の方法。
【請求項１７】
第１の入力が前記第１の増幅器に結合され、第２の入力が前記第２の増幅器に結合された、請求項１６に記載の方法。
【請求項１８】
前記第１の入力が第１のデュプレクサに結合され、前記第２の入力が第２のデュプレクサに結合された、請求項１７に記載の方法。
【請求項１９】
前記第１のデュプレクサおよび前記第２のデュプレクサがスイッチを介してアンテナに結合された、請求項１８に記載の方法。
【請求項２０】
前記受信機が、
第１の入力と前記第１の増幅器との間に結合された第３のインダクタと、
第２の入力と前記第２の増幅器との間に結合された第４のインダクタとをさらに備える、請求項１６に記載の方法。
【請求項２１】
前記第１の増幅器が低雑音増幅器であり、前記第２の増幅器が低雑音増幅器である、請求項１６に記載の方法。
【請求項２２】
前記第１の増幅器が、ハイバンド低雑音増幅器と、ミッドバンド低雑音増幅器と、ローバンド低雑音増幅器とのうちの１つであり、前記第２の増幅器が、ハイバンド低雑音増幅器と、ミッドバンド低雑音増幅器と、ローバンド低雑音増幅器とのうちの１つである、請求項１６に記載の方法。
【請求項２３】
前記電子デバイスが基地局であり、前記受信機が、無線周波数信号を受信するために使用される、請求項１６に記載の方法。
【請求項２４】
前記電子デバイスがワイヤレス通信デバイスであり、前記受信機が、無線周波数信号を受信するために使用される、請求項１６に記載の方法。
【請求項２５】
前記第１のインダクタ、前記第２のインダクタおよび前記第１のキャパシタがインピーダンス整合ネットワークを形成する、請求項１６に記載の方法。
【請求項２６】
前記受信機が、
前記集積回路上の第３の増幅器と、
前記集積回路上の第４の増幅器と、
前記第３の増幅器に結合された第３のインダクタと、
前記第４の増幅器に結合された第４のインダクタと、
前記第３のインダクタと前記第４のインダクタと接地とに結合された第２のキャパシタとをさらに備える、請求項１６に記載の方法。
【請求項２７】
複数の増幅器、複数のインダクタ、および第１のキャパシタを備える受信機であって、前記インダクタの各々は、対応する増幅器に結合され、前記第１のキャパシタは、前記インダクタと接地に結合され、前記第１のキャパシタは、前記複数の増幅器のための整合ネットワーク間で共有され、前記インダクタは、シャントインダクタである、受信機と、
ソースからの信号を受信するための手段であって、前記信号が前記ソースと負荷との間のインピーダンス整合を必要とする、受信するための手段と、
前記信号をインピーダンス整合ネットワークに与えるための手段であって、前記インピーダンス整合ネットワークが前記複数の増幅器のための前記第１のキャパシタを共有し、前記インピーダンス整合ネットワークが、前記複数の増幅器のために信号源の出力インピーダンスを整合させるインピーダンス整合を与える、与えるための手段と、
前記インピーダンス整合ネットワークの出力を前記複数の増幅器のうちの１つに与えるための手段とを備える、装置。
【請求項２８】
前記複数の増幅器が集積回路上にあり、前記第１のキャパシタが共有バイパスキャパシタである、請求項２７に記載の装置。
【請求項２９】
前記受信機は、
集積回路上の第１の増幅器と、
前記集積回路上の第２の増幅器と、
前記第１の増幅器に結合された第１のインダクタと、
前記第２の増幅器に結合された第２のインダクタとを備え、前記第１のキャパシタが、前記第１のインダクタと前記第２のインダクタと接地とに結合され、前記第１のキャパシタが、前記第１の増幅器のための第１の整合ネットワークと前記第２の増幅器のための第２の整合ネットワークとの間で共有される、請求項２７に記載の装置。
【請求項３０】
インピーダンス整合のためのコンピュータプログラム製品であって、前記コンピュータプログラム製品が、その上に命令を有する非一時的コンピュータ可読媒体を備え、前記命令は、
電子デバイスに、ソースからの信号を受信させるためのコードであって、前記信号が前記ソースと負荷との間のインピーダンス整合を必要とする、受信させるためのコードと、
前記電子デバイスに、前記信号をインピーダンス整合ネットワークに与えさせるためのコードであって、前記インピーダンス整合ネットワークが複数の増幅器のための第１のキャパシタを共有し、前記インピーダンス整合ネットワークが、前記複数の増幅器のために信号源の出力インピーダンスを整合させるインピーダンス整合を与える、与えさせるためのコードと、
前記電子デバイスに、前記インピーダンス整合ネットワークの出力を前記複数の増幅器のうちの１つに与えさせるためのコードとを備え、
前記電子デバイスは、前記複数の増幅器、複数のインダクタ、および前記第１のキャパシタを備える受信機を備え、前記インダクタの各々は、対応する増幅器に結合され、前記第１のキャパシタは、前記インダクタと接地に結合され、前記インダクタは、シャントインダクタである、コンピュータプログラム製品。
【請求項３１】
前記複数の増幅器が集積回路上にあり、前記第１のキャパシタが共有バイパスキャパシタである、請求項３０に記載のコンピュータプログラム製品。
【請求項３２】
前記受信機は、
集積回路上の第１の増幅器と、
前記集積回路上の第２の増幅器と、
前記第１の増幅器に結合された第１のインダクタと、
前記第２の増幅器に結合された第２のインダクタとを備え、前記第１のキャパシタが、前記第１のインダクタと前記第２のインダクタと接地とに結合され、前記第１のキャパシタが、前記第１の増幅器のための第１の整合ネットワークと前記第２の増幅器のための第２の整合ネットワークとの間で共有される、請求項３０に記載のコンピュータプログラム製品。
【手続補正２】
【補正対象書類名】明細書
【補正対象項目名】００６４
【補正方法】変更
【補正の内容】
【００６４】
[0071]いかなるクレーム要素も、その要素が「手段」という語句を使用して明確に具陳されていない限り、または方法クレームの場合には、その要素が「ステップ」という語句を使用して具陳されていない限り、米国特許法第１１２条第６項の規定の下で解釈されるべきではない。
以下に、出願当初の特許請求の範囲に記載された発明を付記する。
［Ｃ１］
集積回路上の第１の増幅器と、
前記集積回路上の第２の増幅器と、
前記第１の増幅器に結合された第１のインダクタと、
前記第２の増幅器に結合された第２のインダクタと、
前記第１のインダクタと前記第２のインダクタと接地とに結合された第１のキャパシタと、を備え、
前記第１のキャパシタが、前記第１の増幅器のための第１の整合ネットワークと前記第２の増幅器のための第２の整合ネットワークとの間で共有される、受信機。
［Ｃ２］
前記第１のインダクタおよび前記第２のインダクタがシャントインダクタであり、前記第１のキャパシタが共有バイパスキャパシタである、Ｃ１に記載の受信機。
［Ｃ３］
第１の入力が前記第１の増幅器に結合され、第２の入力が前記第２の増幅器に結合された、Ｃ１に記載の受信機。
［Ｃ４］
前記第１の入力が第１のデュプレクサに結合され、前記第２の入力が第２のデュプレクサに結合された、Ｃ３に記載の受信機。
［Ｃ５］
前記第１のデュプレクサおよび前記第２のデュプレクサがスイッチを介してアンテナに結合された、Ｃ４に記載の受信機。
［Ｃ６］
第１の入力と前記第１の増幅器との間に結合された第３のインダクタと、
第１の入力と前記第２の増幅器との間に結合された第４のインダクタとをさらに備える、Ｃ１に記載の受信機。
［Ｃ７］
前記第１の増幅器が低雑音増幅器であり、前記第２の増幅器が低雑音増幅器である、Ｃ１に記載の受信機。
［Ｃ８］
前記第１の増幅器が、ハイバンド低雑音増幅器と、ミッドバンド低雑音増幅器と、ローバンド低雑音増幅器とのうちの１つであり、前記第２の増幅器が、ハイバンド低雑音増幅器と、ミッドバンド低雑音増幅器と、ローバンド低雑音増幅器とのうちの１つである、Ｃ１に記載の受信機。
［Ｃ９］
前記受信機が基地局の一部であり、前記受信機が、無線周波数信号を受信するために使用される、Ｃ１に記載の受信機。
［Ｃ１０］
前記受信機がワイヤレス通信デバイスの一部であり、前記受信機が、無線周波数信号を受信するために使用される、Ｃ１に記載の受信機。
［Ｃ１１］
前記第１のインダクタ、前記第２のインダクタおよび前記第１のキャパシタがインピーダンス整合ネットワークを形成する、Ｃ１に記載の受信機。
［Ｃ１２］
前記集積回路上の第３の増幅器と、
前記集積回路上の第４の増幅器と、
前記第３の増幅器に結合された第３のインダクタと、
前記第４の増幅器に結合された第４のインダクタと、
前記第３のインダクタと前記第４のインダクタと接地とに結合された第２のキャパシタとをさらに備える、Ｃ１に記載の受信機。
［Ｃ１３］
ソースからの信号を受信することであって、前記信号が前記ソースと負荷との間のインピーダンス整合を必要とする、受信することと、
前記信号をインピーダンス整合ネットワークに与えることであって、前記インピーダンス整合ネットワークが複数の増幅器のための第１のキャパシタを共有する、与えることと、
前記インピーダンス整合ネットワークの出力を前記増幅器のうちの１つに与えることとを備える、インピーダンス整合のための方法。
［Ｃ１４］
前記複数の増幅器が集積回路上にあり、前記第１のキャパシタが共有バイパスキャパシタである、Ｃ１３に記載の方法。
［Ｃ１５］
前記方法が電子デバイスによって実行される、Ｃ１３に記載の方法。
［Ｃ１６］
前記電子デバイスは、
集積回路上の第１の増幅器と、
前記集積回路上の第２の増幅器と、
前記第１の増幅器に結合された第１のインダクタと、
前記第２の増幅器に結合された第２のインダクタとを備える受信機を備え、前記第１のキャパシタが、前記第１のインダクタと前記第２のインダクタと接地とに結合され、前記第１のキャパシタが、前記第１の増幅器のための第１の整合ネットワークと前記第２の増幅器のための第２の整合ネットワークとの間で共有される、Ｃ１５に記載の方法。
［Ｃ１７］
前記第１のインダクタおよび前記第２のインダクタがシャントインダクタである、Ｃ１６に記載の方法。
［Ｃ１８］
第１の入力が前記第１の増幅器に結合され、第２の入力が前記第２の増幅器に結合された、Ｃ１６に記載の方法。
［Ｃ１９］
前記第１の入力が第１のデュプレクサに結合され、前記第２の入力が第２のデュプレクサに結合された、Ｃ１８に記載の方法。
［Ｃ２０］
前記第１のデュプレクサおよび前記第２のデュプレクサがスイッチを介してアンテナに結合された、Ｃ１９に記載の方法。
［Ｃ２１］
前記受信機が、
第１の入力と前記第１の増幅器との間に結合された第３のインダクタと、
第１の入力と前記第２の増幅器との間に結合された第４のインダクタとをさらに備える、Ｃ１６に記載の方法。
［Ｃ２２］
前記第１の増幅器が低雑音増幅器であり、前記第２の増幅器が低雑音増幅器である、Ｃ１６に記載の方法。
［Ｃ２３］
前記第１の増幅器が、ハイバンド低雑音増幅器と、ミッドバンド低雑音増幅器と、ローバンド低雑音増幅器とのうちの１つであり、前記第２の増幅器が、ハイバンド低雑音増幅器と、ミッドバンド低雑音増幅器と、ローバンド低雑音増幅器とのうちの１つである、Ｃ１６に記載の方法。
［Ｃ２４］
前記電子デバイスが基地局であり、前記受信機が、無線周波数信号を受信するために使用される、Ｃ１６に記載の方法。
［Ｃ２５］
前記電子デバイスがワイヤレス通信デバイスであり、前記受信機が、無線周波数信号を受信するために使用される、Ｃ１６に記載の方法。
［Ｃ２６］
前記第１のインダクタ、前記第２のインダクタおよび前記第１のキャパシタがインピーダンス整合ネットワークを形成する、Ｃ１６に記載の方法。
［Ｃ２７］
前記受信機が、
前記集積回路上の第３の増幅器と、
前記集積回路上の第４の増幅器と、
前記第３の増幅器に結合された第３のインダクタと、
前記第４の増幅器に結合された第４のインダクタと、
前記第３のインダクタと前記第４のインダクタと接地とに結合された第２のキャパシタとをさらに備える、Ｃ１６に記載の方法。
［Ｃ２８］
ソースからの信号を受信するための手段であって、前記信号が前記ソースと負荷との間のインピーダンス整合を必要とする、受信するための手段と、
前記信号をインピーダンス整合ネットワークに与えるための手段であって、前記インピーダンス整合ネットワークが複数の増幅器のための第１のキャパシタを共有する、与えるための手段と、
前記インピーダンス整合ネットワークの出力を前記増幅器のうちの１つに与えるための手段とを備える、装置。
［Ｃ２９］
前記複数の増幅器が集積回路上にあり、前記第１のキャパシタが共有バイパスキャパシタである、Ｃ２８に記載の装置。
［Ｃ３０］
前記装置は、
集積回路上の第１の増幅器と、
前記集積回路上の第２の増幅器と、
前記第１の増幅器に結合された第１のインダクタと、
前記第２の増幅器に結合された第２のインダクタとを備える受信機を備え、前記第１のキャパシタが、前記第１のインダクタと前記第２のインダクタと接地とに結合され、前記第１のキャパシタが、前記第１の増幅器のための第１の整合ネットワークと前記第２の増幅器のための第２の整合ネットワークとの間で共有される、Ｃ２８に記載の装置。
［Ｃ３１］
インピーダンス整合のためのコンピュータプログラム製品であって、前記コンピュータプログラム製品が、その上に命令を有する非一時的コンピュータ可読媒体を備え、前記命令は、
電子デバイスに、ソースからの信号を受信させるためのコードであって、前記信号が前記ソースと負荷との間のインピーダンス整合を必要とする、受信させるためのコードと、
前記電子デバイスに、前記信号をインピーダンス整合ネットワークに与えさせるためのコードであって、前記インピーダンス整合ネットワークが複数の増幅器のための第１のキャパシタを共有する、与えさせるためのコードと、
前記電子デバイスに、前記インピーダンス整合ネットワークの出力を前記増幅器のうちの１つに与えさせるためのコードとを備える、コンピュータプログラム製品。
［Ｃ３２］
前記複数の増幅器が集積回路上にあり、前記第１のキャパシタが共有バイパスキャパシタである、Ｃ３１に記載のコンピュータプログラム製品。
［Ｃ３３］
前記電子デバイスは、
集積回路上の第１の増幅器と、
前記集積回路上の第２の増幅器と、
前記第１の増幅器に結合された第１のインダクタと、
前記第２の増幅器に結合された第２のインダクタとを備える受信機を備え、前記第１のキャパシタが、前記第１のインダクタと前記第２のインダクタと接地とに結合され、前記第１のキャパシタが、前記第１の増幅器のための第１の整合ネットワークと前記第２の増幅器のための第２の整合ネットワークとの間で共有される、Ｃ３１に記載のコンピュータプログラム製品。